【事件の表示】
　特許第２８２９１７９号「電気掃除機」の請求項１ないし３に係る特許に対する特許異議の申立てについて、次のとおり決定する。
【結論】
　訂正を認める。
　特許第２８２９１７９号の請求項１ないし２に係る特許を維持する。
【理由】
〔１〕手続の経緯
　特許第２８２９１７９号に係る発明についての出願は、平成４年１月２４日に特許出願され、平成１０年９月１８日にその発明について特許権の設定登録がされ、その後、その特許について、異議申立人三洋電機株式会社及び酒井和義により特許異議の申立てがされ、取消理由通知がされ、その指定期間内である平成１１年１１月５日に訂正請求がされ、訂正拒絶理由通知がされ、その指定期間内である平成１１年１２月２日に手続補正がされたものである。
〔２〕補正の適否についての判断
ア．補正の内容
　ａ．訂正明細書中の特許請求の範囲の請求項３を削除する。
　ｂ．明細書中の段落【０００９】の「また前記把手において、・・・保持する。」の記載、及び明細書中の段落【００３１】を削除する。
イ．補正の目的の適否、新規事項の有無及び拡張・変更の存否
　上記ａの補正は、請求項の削除であるので、特許請求の範囲の減縮の相当する。
　上記ｂの補正は、上記ａの補正に伴い、明りょうでない記載の釈明を目的として補正したものであって、新規事項の追加に該当せず、また実質上特許請求の範囲を拡張し、また変更するものでもない。
　したがって、上記補正は、適法なものである。
〔３〕訂正の適否についての判断
ア．訂正の内容
　特許権者が求めている訂正の内容は、以下の、ａ〜ｄのとおりである。
　ａ．特許請求の範囲請求項１中の「・・・前記垂直状態を越えて傾斜した状態にて前記把手に当接して当該把手を保持する保持部を備えた・・・」を「・・・前記垂直状態を越えて傾斜した状態にて前記把手の垂直状態を越える方向側に位置する面に当接して当該把手を保持する保持部を本体に備えた・・・」と訂正する。
　ｂ．特許請求の範囲の請求項２中の「・・・前記把手の上面に前記ホルダを保持する溝を備える・・・」を「・・・前記把手の上面に前記ホルダを保持する穴を備える・・・」と訂正する。
　ｃ．発明の詳細な説明の段落【０００８】中「・・・前記垂直状態を越えて傾斜した状態にて前記把手に当接して当該把手を保持する保持部を備える。」を「・・・前記垂直状態を越えて傾斜した状態にて前記把手の垂直状態を越える方向側に位置する面に当接して当該把手を保持する保持部を本体に備える。」と訂正する。
　ｄ．発明の詳細な説明の段落【０００９】中「・・・前記把手の上面に前記ホルダを保持する溝を備える。」を「・・・前記把手の上面に前記ホルダを保持する穴を備える。」と訂正する。
イ．訂正の目的の適否、新規事項の有無及び拡張・変更の存否
　上記ａの訂正事項に関連する記載として、願書に添付した明細書（以下、「特許明細書」という。）の発明の詳細な説明の段落【００１３】、【００１４】、【００１６】、【００１７】及び図面中【図１】、【図２】、【図３】、特に段落【００１７】の「延長管４、ホース３の重量とバランスによって把手２が後部に倒れるおそれがあるので、把手２を図１のように垂直より少しでも本体１の前方に倒れ状態で保持されるようにしているものである。」と記載されていることから、「・・・前記垂直状態を越えて傾斜した状態にて前記把手の垂直状態を越える方向側に位置する面に当接して当該把手を保持する保持部を本体に備えた・・・」点は特許明細書に記載されているものと認める。
　そうすると、上記ａの訂正は、特許明細書に記載された事項の範囲内において把手を限定したものといえるから、新規事項の追加に該当せず、特許請求の範囲の減縮に該当するものである。
　上記ｂの訂正事項に関連する記載として、特許明細書の発明の詳細な説明の段落【００２７】の「穴３０」の記載があることから誤記の訂正と認められ、新規事項の追加に該当しない。
　上記ｃ、ｄの訂正事項は、特許請求の範囲の減縮又は誤記の訂正に伴って明細書の記載を整合させるものであるから、明りょうでない記載の釈明に該当し、新規事項の追加に該当しない。
　そして、上記いずれの訂正も実質上特許請求の範囲を拡張し、又は変更するものではない。
ウ．独立特許要件
（１）特許法第３６条第５項の要件について
ｉ）請求項１において、「把手に当接して当該把手を保持する保持部を備え」を「把手の垂直状態を越える方向側に位置する面に当接して当該把手を保持する保持部を本体に備え」と訂正し、段落【０００８】の記載及び第２図の側面図及び第３図の後面図からみて、全く不明りょうとはいえない。
ｉｉ）請求項２において、「溝」を「穴」としたので、不明りょうな点は削除された。
ｉｉｉ）請求項３は削除された。
　したがって、請求項１〜３に記載された発明についての特許法第３６条第５項の要件は満たされたものと認める。
（２）特許法第２９条の要件について
（訂正明細書の請求項１、２に係る発明）
　訂正明細書の請求項１、２に係る発明は、その特許請求の範囲に記載された次のとおりのものである。
　「【請求項１】電動送風機を内蔵し該電動送風機に連通する集塵室を内部に設けた本体と、該本体に接続される吸入管と、該吸入管に取付けられるホルダと、該吸入管に接続される吸入口と、該本体に回動自在に設けられる把手とを備えてなる電気掃除機において、前記把手を、水平状態から垂直状態を越えて回動自在となるように設けると共に、前記垂直状態を越えて傾斜した状態にて前記把手の垂直状態を越える方向側に位置する面に当接して当該把手を保持する保持部を本体に備えたことを特徴とする電気掃除機。
　【請求項２】電動送風機を内蔵し該電動送風機に連通する集塵室を内部に設けた本体と、該本体に接続される吸入管と、該吸入管に取付けられるホルダと、該吸入管に接続される吸入口と、該本体に設けられる把手とを備えてなる電気掃除機において、前記把手を前記本体に対して上下可動に設けると共に、前記把手を最高位および最下位に位置させた時に前記把手を前記本体に固定する固定機構と、前記把手上面から突出することなく前記把手に設けられ該固定機構による固定を解除する固定解除ボタンとを備え、前記把手の上面に前記ホルダを保持する穴を備えることを特徴とする電気掃除機。」
（刊行物１、２に記載された発明）
　刊行物１（特開平６１−９０６２８号公報）には、「上記が本発明の一実施例であるが次にその動作を説明すると、フタ１７の前方のバンパー１８を使用者が上方へ持ち上げると、（第２図矢印）バンパー１８は軸１９を中心として回動をし始め、バンパー支持部２１の凹凸部２０が板バネ２２に当たるまでは滑らかに回動する。しかし、凹凸部２０が板バネ２２に当たってからは、板バネ２２の力に抗してバンパー１８を回動させる必要があるため、バンパー１８は適度にクリック感を持って回動させることができる。この凹凸部２０の凹部に板バネ２２が入っている時にはバンパー１８は固定された状態となっており、軽い力では回動しないようになっている。このようにバンパー１８を回動自在とするだけでなく固定も可能とすることにより第８図に示すようにバンパー１８をほぼ垂直にまで回動させ、固定させた後ホースユニット２５を乗せておけば、一般的に使用者が掃除後かたずけに困まっていたホースユニット２５は非常に簡単に支持することができ、特にホースユニット２５を本体１１よりはずす必要はない。」（第２頁左上欄第１６行〜右上欄第１６行）ことが、第１〜１０図とともに記載されている。
　刊行物２（特開平６３−７９６２５号公報）には、「掃除機本体の前方上部に、上方回動位置で固定可能な把手を同掃除機本体の前方へ突出するごとく回動自在に配置し、さらにこの掃除機本体の上部には後方回動状態の把手を収納する凹部を形成した電気掃除機。」（特許請求の範囲）が、第１〜８図とともに記載されている。
（対比・判断）
　そこで、本件請求項１に係る発明と刊行物１、２に記載された発明を対比すると、刊行物１、２に記載された発明は「電動送風機を内蔵し該電動送風機に連通する集塵室を内部に設けた本体と、該本体に接続される吸入管と、該吸入管に取付けられるホルダと、該吸入管に接続される吸入口と、該本体に回動自在に設けられる把手とを備えてなる電気掃除機」の構成は具備しているものの、本件請求項１に係る発明の必須構成である「把手を、水平状態から垂直状態を越えて回動自在となるように設けると共に、前記垂直状態を越えて傾斜した状態にて前記把手の垂直状態を越える方向側に位置する面に当接して当該把手を保持する保持部を本体に備えた」構成を具備していない。
　そして、本件請求項１に係る発明は、上記構成を備えることにより、「把手を垂直状態を越えて若干傾斜した状態で容易に保持することができるため、吸込管を把手に安定的に保持することができる。」という明細書に記載の格別な効果を奏することができるものと認められる。
　したがって、本件請求項１に係る発明は、刊行物１、２に記載された発明に基づいて当業者が容易に発明をすることができたものとすることはできない。
　次に、本件請求項２に係る発明と刊行物１、２に記載された発明を対比すると、刊行物１、２に記載された発明は「電動送風機を内蔵し該電動送風機に連通する集塵室を内部に設けた本体と、該本体に接続される吸入管と、該吸入管に取付けられるホルダと、該吸入管に接続される吸入口と、該本体に設けられる把手とを備えてなる電気掃除機」の構成を具備するものの、本件請求項２に係る発明の必須構成である「把手を前記本体に対して上下可動に設けると共に、前記把手を最高位および最下位に位置させた時に前記把手を前記本体に固定する固定機構と、前記把手上面から突出することなく前記把手に設けられ該固定機構による固定を解除する固定解除ボタンとを備え、前記把手の上面に前記ホルダを保持する穴を備え」た構成を具備していない。
　そして、本件請求項２に係る発明は、上記の構成を備えることにより、「吸込管のホルダにより把手で吸込管を保持する場合に、ホルダが固定機構に接触して固定機構による把手の固定が解除される恐れをなくなり、また、ホルダの把手への固定が容易とな」るという明細書に記載の格別の効果を奏するものと認められる。
　したがって、本件請求項２に係る発明は、刊行物１、２に記載された発明に基づいて当業者が容易に発明をすることができたものとすることはできない。
　エ．むすび
　したがって、訂正明細書の請求項１、２に係る発明は、特許出願の際独立して特許を受けることができない発明とすることはできない。
　以上のとおりであるから、上記訂正は、特許法第１２０条の４第２項及び同条第３項で準用する同法第１２６条第２ー４項の規定に適合するので、当該訂正を認める。
〔４〕特許異議の申立てについての判断
（異議申立人三洋電機株式会社について）
ア．申立ての理由の概要
　申立人三洋電機株式会社は、（１）ｉ）請求項１において「保持部」とは、いかなる構成を特定したものか不明であり、ｉｉ）請求項２において「溝」は発明の詳細な説明に記載されておらず、不明であり、また、「本体と把手との隙間を大きく設けることができる」点の必須構成が記載されていおらず、ｉｉｉ）請求項３において「溝」は発明の詳細な説明に記載されていないから、特許法第３６条第５項に違反しており、本件特許は取り消されるべきであり、（２）本件請求項１に係る発明は、甲第１号証（上記刊行物１と同じ）に記載された発明に基づいて当業者が容易に発明をすることができたものであり、又は本件請求項１、３に係る発明は、甲第２号証（上記刊行物２と同じ）に記載された発明に基づいて当業者が容易に発明をすることができたものであるから、本件特許は、取り消されるべきである、と主張している。
イ．甲号各証に記載された発明
　甲第１、２号証に記載された発明は、〔３〕ウ．（２）（刊行物１、２に記載された発明）のとおりである。
ウ．対比・判断
　特許法第３６条第５項に関しては、〔３〕ウ．（１）のとおりである。
　特許府第２９条第２項に関しては、〔３〕ウ．（２）（対比・判断）のとおりである。
（申立人酒井和義について）
ア．申立ての理由の概要
　申立人酒井和義は、本件請求項１に係る発明は、甲第１号証（特開昭６２−２３６５２３号公報、以下「刊行物３」という。）、甲第２号証（上記刊行物１と同じ）、甲第３号証（特開昭６３−２４０８１８号公報、以下、「刊行物４」という。）、甲第４号証（特開昭６３−２３４９２８号公報、以下［刊行物５」という。）に記載された発明に基づいて当業者が容易に発明ができたものであるから、特許法第２９条第２項の規定に違反しており、本件特許は取り消されるべきである、と主張している。
イ．甲号各証に記載された発明
　刊行物３には、「２８は把手１８に着脱自在に配設した延長管保持具で、その保持部は略Ｃ状に形成され、延長管２４を着脱自在に保持できるようになっている。そして、この延長管保持具２８は第１図及び第３図に示すように、使用後、本体１０を立てた状態で格納する時や使用中、電話やあるいは周囲をかたずける時に、本体１０にホース２０、延長管２４、床ノズル２５を接続した状態で手を離すようになるが、そのままで延長管２４を上方に回動させた把手１８に立てかけ、延長管保持具２８に延長管２４を装着することで、スマートにホース２０、延長管２４、床ノズル２５を処理することができ、また、すぐに掃除機を使うことができるものである。」（第２頁左下欄第１３行〜右下欄第６行）ことが、第１〜８図とともに記載されている。
　刊行物４には、「掃除機本体１をある程度の距離移動させる場合は、上ハンドル３２または前ハンドル３４を用いて、掃除機本体１を持ち運ぶ。上ハンドル３２を用いる場合には、この上ハンドル３２をＢ方向へ回動させて立てて持つ。」（第３頁右下欄１９行〜第４頁左上欄第４行）こと、「また、不必要なときには、上ハンドル３２をＡ方向へ回動させて倒し凹部３１内に収納しておけば、この上ハンドル３２が邪魔にならない。」（第４頁第１７〜１９行）ことが第１〜５図とともに記載されている。
　刊行物５には、「掃除機本体１のフィルター収納室１ａの開口８は、蓋体９によって閉塞される。蓋体９は、回転軸１０によって掃除機本体１に回動自在に取り付けられ、かつクランプ装置１１によってフィルター収納室１ａの開口８が開閉自在となるように取り付けられている。蓋体９には、吸込ホース接続する吸込口１２が形成されている」（第３頁右上欄第１７行〜左下欄第３行）ことが第１〜７図とともに記載されている。
ウ．対比・判断
　訂正後の請求項１に係る発明と刊行物３〜５に記載された発明を対比すると、刊行物３〜５に記載された発明は「電動送風機を内蔵し該電動送風機に連通する集塵室を内部に設けた本体と、該本体に接続される吸入管と、該吸入管に取付けられるホルダと、該吸入管に接続される吸入口と、該本体に回動自在に設けられる把手とを備えてなる電気掃除機」の構成を具備するものの、訂正後の請求項１に係る発明の必須構成である「把手を、水平状態から垂直状態を越えて回動自在となるように設けると共に、前記垂直状態を越えて傾斜した状態にて前記把手の垂直状態を越える方向側に位置する面に当接して当該把手を保持する保持部を本体に備えた」構成を具備していない。
　そして、訂正後の請求項１に係る発明は、上記の構成を備えることにより、「把手を垂直状態を越えて若干傾斜した状態で容易に保持することができるため、吸込管を把手に安定的に保持することができる。」という明細書に記載の格別の効果を奏するものと認められる。
また、刊行物１については、〔３〕ウ．（２）（対比・判断）のとおりである。
　したがって、訂正後の請求項１に係る発明は、刊行物１、３〜５に記載された発明に基づいて当業者が容易に発明をすることができたものとすることはできない。
エ．むすび
　以上のとおりであるから、特許異議申立ての理由及び証拠によっては、本件特許を取り消すことはできない。
　また、他に本件特許を取り消すべき理由を発見しない。
　よって、結論のとおり決定する。
【異議決定日】
平成１１年１２月２２日（１９９９．１２．２２）
【訂正の要旨】
ア．補正の内容
　ａ．訂正明細書中の特許請求の範囲の請求項３を削除する。
　ｂ．明細書中の段落【０００９】の「また前記把手において、・・・保持する。」の記載、及び明細書中の段落【００３１】を削除する。
ア．訂正の内容
　特許権者が求めている訂正の内容は、以下の、ａ〜ｄのとおりである。
　ａ．特許請求の範囲請求項１中の「・・・前記垂直状態を越えて傾斜した状態にて前記把手に当接して当該把手を保持する保持部を備えた・・・」を「・・・前記垂直状態を越えて傾斜した状態にて前記把手の垂直状態を越える方向側に位置する面に当接して当該把手を保持する保持部を本体に備えた・・・」と訂正する。
　ｂ．特許請求の範囲の請求項２中の「・・・前記把手の上面に前記ホルダを保持する溝を備える・・・」を「・・・前記把手の上面に前記ホルダを保持する穴を備える・・・」と訂正する。
　ｃ．発明の詳細な説明の段落【０００８】中「・・・前記垂直状態を越えて傾斜した状態にて前記把手に当接して当該把手を保持する保持部を備える。」を「・・・前記垂直状態を越えて傾斜した状態にて前記把手の垂直状態を越える方向側に位置する面に当接して当該把手を保持する保持部を本体に備える。」と訂正する。
　ｄ．発明の詳細な説明の段落【０００９】中「・・・前記把手の上面に前記ホルダを保持する溝を備える。」を「・・・前記把手の上面に前記ホルダを保持する穴を備える。」と訂正する。
（５４）【発明の名称】
電気掃除機
（５７）【特許請求の範囲】
　　【請求項１】　電動送風機を内蔵し該電動送風機に連通する集塵室を内部に設けた本体と、該本体に接続される吸込管と、該吸込管に取付けられるホルダと、該吸込管に接続される吸込口と、該本体に回動自在に設けられる把手とを備えてなる電気掃除機において、
　前記把手を、水平状態から垂直状態を越えて回転自在となるように設けると共に、前記垂直状態を越えて傾斜した状態にて前記把手
の垂直状態を越える方向側に位置する面
本体に
　　【請求項２】　電動送風機を内蔵し該電動送風機に連通する集塵室を内部に設けた本体と、該本体に接続される吸込管と、該吸込管に取付けられるホルダと、該吸込管に接続される吸込口と、該本体に設けられる把手とを備えてなる電気掃除機において、
　前記把手を前記本体に対して上下可動に設けると共に、前記把手を最高位および最下位に位置させた時に前記把手を前記本体に固定する固定機構と、前記把手上面から突出することなく前記把手に設けられ該固定機構による固定を解除する固定解除ボタンとを備え、
　前記把手の上面に前記ホルダを保持する
穴
【発明の詳細な説明】
　　　【０００１】
　　【産業上の利用分野】
　本発明は電気掃除機に係り、特に掃除したままの状態で収納可能なる収納装置に関する。
　　　【０００２】
　　【従来の技術】
　従来、本体にホース，延長管，吸込口を接続して掃除の準備状態のまま収納するものが図１１，図１２のようなものが知られている。
　　　【０００３】
　図１１のものは掃除機本体５１の一部に溝５２を設け、延長管５３に設けられたホルダ５４を、掃除機本体５１を立てて、溝５２にホルダ５４を挿入して掃除機本体５１にホース５５，延長管５３，吸込口５６を接続したまま収納するものである。
　　　【０００４】
　また図１２は、掃除機本体５１の底面後部に突起５７を設け、収納時、掃除機本体５１を立てて前記突起５７に吸込口５６を掛けて、掃除機本体５１にホース５５，延長管５３，吸込口５６を接続したまま収納するものである。
　　　【０００５】
　　【発明が解決しようとする課題】
　従来のものは上記のような構成になっているので、収納するときいちいち本体を立て、また、掃除する時はその度本体を横にしなければならない手間を要する。
　　　【０００６】
　さらに、掃除中に掃除を一担中断するときは、ホース，延長管，吸込口の付属品は底面に横たえておかねばならず、場所を要したり、その度いちいち腰をかがめなければならなかった。
　　　【０００７】
　そこで、本発明は、上記問題点に鑑み、掃除中および掃除後における付属品の収納を容易ならしめるような掃除機を提供するものである。
　　　【０００８】
　　【課題を解決するための手段】
　上記課題を解決するために本発明は電動送風機を内蔵し該電動送風機に連通する集塵室を内部に設けた本体と、該本体に接続される吸込管と、該吸込管に取付けられるホルダと、該吸込管に接続される吸込口と、該本体に回動自在に設けられる把手とを備えてなる電気掃除機において、前記把手を、水平状態から垂直状態を越えて回転自在となるように設けると共に、前記垂直状態を越えて傾斜した状態にて前記把手
の垂直状態を越える方向側に位置する面
本体に
　　　【０００９】
　さらに前記把手において、前記把手を前記本体に対して上下可動に設けると共に、前記把手を最高位および最下位に位置させた時に前記把手を前記本体に固定する固定機構と、前記把手上面から突出することなく前記把手に設けられ該固定機構による固定を解除する固定解除ボタンとを備え、前記把手の上面に前記ホルダを保持する
穴
　　　【００１０】
　　【作用】
　掃除中、一担掃除を中断した時は吸込管（延長管）に設けたホルダを把手に当接させたり、把手に設けられた溝に保持することによって付属品を容易に収納することができる。
　　　【００１１】
　　【実施例】
　以下、本発明の実施例を図面に基づいて詳細に説明する。
　　　【００１２】
［第１実施例］
　図１ないし図３は本発明の第１実施例を示す図で、図１は本発明の電気掃除機本体の側面図、図２は同じく付属品の収納状態を示す側面図、図３は図２の後面図である。
　　　【００１３】
　掃除機本体１に設けられた把手２は略水平状態（２点鎖線）から９０度以上回転して支持される（実線）ように構成されている。
　また延長管４にはホルダ６が延長管４の任意の位置で保持されるように取付けられている。
　　　【００１４】
　いま、掃除機本体１にホース３，延長管４，吸込口５を接続して通常の掃除をするとき、掃除中は把手２を実線のように立てておき、掃除中に、掃除を一担中断した場合に、延長管４に設けられたホルダ６を把手２に本体１の後部より当接させると延長管４は把手２に寄りかかる状態で支持され、付属品一式が本体１に接続したまま保持される。
　　　【００１５】
　掃除を始めるときは、図２の状態からホース３のハンドル部３ａを持つとそのまま掃除が継続できる。
　　　【００１６】
　また掃除後、付属品一式を収納するときは、本体１にホース３，延長管４，吸込口５の付属品一式を接続したまま、前記のように図２の如く収納しておくと、常に掃除が即出来る状態となっている。
　　　【００１７】
　なお、把手２を図４の如く垂直に立てた収納でも延長管４を把手２に当接することができるが、延長管４，ホース３の重量とバランスによって把手２が後部に倒れるおそれがあるので、把手２を図１のように垂直より少しでも本体１の前方に倒れ状態で保持されるようにしているものである。
　　　【００１８】
［第２実施例］
　図５ないし図１０は本発明の第２実施例を示す図面で、図５は本発明の電気掃除機本体の側面図、図６は図５のＡ−Ａ断面図、図７は把手を最下位にセット時の要部断面図、図８は把手を最高位にセット時の要部断面図、図９は把手の上面図、図１０は本体に付属品収納状態の外観図である。
　　　【００１９】
　把手２２は上下可動に掃除機本体２１に取付けられていて、最下位（図５の実線）と最高位（図５の二点鎖線）の二段にセットされる。最高位にセットされた時と最低位にセットされた時に固定されるように形成されている。
　　　【００２０】
　把手２２の操作について図７，図８に基づいて詳細な説明をする。把手２２はＵ字形で、中空となっており、内部にＵ字形のボタン２３が内接され、該ボタン２３は中央部に突起２３ａとその反対側は凹部２３ｂが形成されていて、該ボタン２３は把手２２との間に介在したスプリング２４によって突起２３ａが把手２２の中央の穴２２ａに位置し、常時把手２２の外面と同一面になるよう付勢されている。
　　　【００２１】
　またボタン２３の先端２３ｃには切欠部２４ａが設けられ、この切欠部２４ａの上部の所定の位置に凹部２４ｂが設けられている。なお、切欠部２４ａと凹部２４ｂは両側に設けられている。
　　　【００２２】
　把手２２にはボタン２３の切欠部２４ａと凹部２４ｂの近傍に穴２５，２５ａが設けられている。また、本体２１の両側には、把手２２が挿入し、上下に可動する溝２６が設けられている。さらに、上部には、溝２６と直角な穴２７が設けられ、該穴２７にはスプリング２８と球体２９が設けられ、球体２９はスプリング２８によって常時把手２２側に付勢されている。なお、球体２９は、前記把手２２の穴２５，２５ａに嵌合する大きさを有している。
　　　【００２３】
　上記のように本体２１と把手２２，ボタン２３が構成されているので、いま図８のように把手２２が最下位にセットされているとすると、球体２９は把手２２の穴２５ａにスプリング２８によって付勢されて把手２３は固定されていて把手２２を持って持ち上げても把手２２は移動することなく本体２１を持ち上げることが出来る。
　　　【００２４】
　次に把手２２を最高位（図７）にセットする時は、図８の状態でボタン２３の突起２３ａを指で押すと球体２９はボタン２３によってスプリング２８を圧縮しながら穴２７の内側に押しやられる。この状態でボタン２３を押したまま把手２２を持ち上げると、穴２５ａにロックされていた球体２９が解除されて把手２２は上方へ移動し、把手２２の穴２５が球体２９に位置するまで上げられ、球体２９が穴２５に嵌合すると、把手２２はロックされそれ以上、上方に移動することはなく、それ以上把手２２を持ち上げると本体２１と一緒に持ち上げることになる。
　　　【００２５】
　また、上記最高位から下げるときはボタン２３の突起２３ａを押すと、球体２９はボタン２３によってスプリング２８を圧縮しながら穴２７の内側に押しやられる。この状態でボタン２３を押したまま、把手２２を押し下げると穴２５にロックされていた球体２９が解除されて把手２２は下方へ移動し、把手２２の穴２５ａが球体２９に位置するまで下げられ、常に外側に付勢されている球体２９が穴２５ａに嵌合すると、把手２２はロックされそれ以上下方に移動することがない。さらに把手２２の上部両端には、後述する延長管４に設けられたホルダ１６が挿入嵌合される穴３０，３０が設けられている。
　　　【００２６】
　掃除機本体２１には、ホース３，延長管４，吸込口５が接続されて、掃除状態となる。前記延長管４にはホルダ１６が設けられ、該ホルダ１６は延長管４の任意の位置に支持出来る構造となっている。そして、該ホルダ１６は前記把手１２に設けた穴３０に嵌合可能な形状となっている。
　　　【００２７】
　いま、掃除機本体２１に、ホース３，延長管４，吸込口５を接続して通常の掃除をするとき、掃除中は把手を実線のように最高位に上げておき、掃除中に一担中断した場合に、延長管４に設けられたホルダ１６を把手２２に設けた穴３０に挿入すると延長管４は把手２２に支持されて図１０のような状態で保持される。掃除を始めるときは、図１０の状態からホース３のハンドル部３ａを持って持ち上げるとそのまま掃除が継続できる。
　　　【００２８】
　また、掃除後、付属品一式を収納するときは、本体２１にホース３，延長管４，吸込口５の付属品一式を接続したまま、図１０の如く把手２２の穴３０に延長管４のホルダ１６を挿入嵌合させる。なお、穴３０は把手２２の片側でもよいが、両側に設けておくといずれの方向でも収納できるので便利性が向上する。
　　　【００２９】
　　【発明の効果】
　本発明は上記のような構成となっているので下記のような効果を奏する。すなわち、請求項１においては、把手を垂直状態を越えて若干傾斜した状態で容易に保持することができるため、吸込管を把手に安定的に保持することができる。
　　　【００３０】
　また請求項２においては、最高位及び最下位で把手を本体に固定し、固定機構が把手上面から突出することなく把手に設けられので、吸込管のホルダにより把手で吸込管を保持する場合に、ホルダが固定機構に接触して固定機構による把手の固定が解除される恐れもなくなり、また、ホルダの把手への固定が容易となり、さらに、本体と把手との隙間を大きく設けることができるので腕の挿入が可能で、掃除機を腕に引掛けて掃除することができ、従来のように把手を持って掃除する場合より楽に掃除できる。
【図面の簡単な説明】
　　【図１】
　図１は本発明の第１実施例の掃除機本体の外観側面図である。
　　【図２】
　図２は同じく付属品収納状態を示す側面図である。
　　【図３】
　図３は同じく図２の後面図である。
　　【図４】
　図４は付属品収納状態の他の実施例の側面図である。
　　【図５】
　図５は本発明の第３実施例の掃除機本体の側面図である。
　　【図６】
　図６は同じく図５のＡ−Ａ矢視断面図である。
　　【図７】
　図７は同じく把手の最下位セット時の要部断面図である。
　　【図８】
　図８は同じく把手の最高位セット時の要部断面図である。
　　【図９】
　図９は同じく把手の上面図である。
　　【図１０】
　図１０は同じく付属品収納状態を示す後面図である。
　　【図１１】
　図１１は従来の付属品収納状態の実施例の外観図である。
　　【図１２】
　図１２は従来の付属品収納状態の他の実施例の外観図である。
　　【符号の説明】
１，１１，２１　掃除機本体
２，１２，２２　把手
３　ホース
４　延長管
５　吸込口
６　ホルダ
２３　ボタン
２４，２８　スプリング
２９　球体